(57)【要約】【課題】開閉カバーに取り付けた係合フックのガタ付きを防止でき、係合フックで開かないようにロックされている開閉カバーのガタ付きも防止できる画像形成装置の開閉カバーのロック機構を提供すること。【解決手段】画像形成装置の本体カバーのジャムアクセス用開口部に開閉自在に取り付けた開閉カバーと、該開閉カバーの内面２５に回動自在に取り付けた係合フック５０と、該係合フック５０が係合する本体カバー側に設けた被係合部とを備え、開閉カバーを閉じた状態で係合フック５０が被係合部に係合して開閉カバーをロックする画像形成装置の開閉カバーのロック機構において、係合フック５０の回動面の下側の面５５ａを押えて係合フック５０のガタつきを防止する押え部材６２を設けた。またこの押え部材６２を係合フック５０を回動させる回動部材６０と一体に形成した。【選択図】図７
2008003403.tif 000002
【特許請求の範囲】
【請求項１】
画像形成装置のカバー部材に開閉自在に取り付けた開閉カバーと、前記開閉カバーに回動自在に取り付けた係合フックと、前記係合フックが係合する前記カバー部材側に設けた被係合部とを備え、前記開閉カバーを閉じた状態で前記係合フックが前記被係合部に係合して前記開閉カバーをロックする画像形成装置の開閉カバーのロック機構において、
前記係合フックの回動面の上側又は下側の面を押える押え部材を備えたことを特徴とする画像形成装置の開閉カバーのロック機構。
【請求項２】
請求項１に記載の画像形成装置の開閉カバーのロック機構において、
前記係合フックを回動させる回動部材を備えると共に、前記押え部材を前記回動部材と一体に形成したことを特徴とする画像形成装置の開閉カバーのロック機構。
【請求項３】
請求項２に記載の画像形成装置の開閉カバーのロック機構において、
前記係合フックを前記被係合部に係合する位置へ付勢する付勢手段を備え、
前記係合フックが前記付勢手段により回動することで、前記回動部材が押し戻されて前記押え部材が前記係合フックを押えるように構成したことを特徴とする画像形成装置の開閉カバーのロック機構。
【請求項４】
請求項１乃至３のいずれか１項に記載の画像形成装置の開閉カバーのロック機構において、
前記押え部材が前記係合フックを押えることで前記係合フックが前記カバー部材の被係合部に押え付けられるように構成したことを特徴とする画像形成装置の開閉カバーのロック機構。
【請求項５】
請求項１乃至４のいずれか１項に記載の画像形成装置の開閉カバーのロック機構において、
前記開閉カバーは、前記カバー部材に設けたジャムアクセス用開口部を開閉するジャムアクセスカバーであることを特徴とする画像形成装置の開閉カバーのロック機構。
【発明の詳細な説明】
【技術分野】
【０００１】
本発明は、画像形成装置のカバー部材に開閉自在に取り付けた開閉カバーをロックする画像形成装置の開閉カバーのロック機構に関するものである。
【背景技術】
【０００２】
複写機、プリンタ、ファクシミリ又はこれらのうちの複数の機能を兼ね備えたいわゆる複合機などの画像形成装置がある。この画像形成装置は、本体部が合成樹脂製の本体カバーで覆われていて、該本体カバーの側面部に、本体部内に設置された用紙搬送機構や画像形成機構にアクセスするためのジャムアクセス用開口部が設けられている。このジャムアクセス用開口部には、略平板状の開閉カバーがその一端を支点として回動自在に取り付けられている。そして用紙搬送機構における紙詰りが発生した場合や、画像形成機構のトナー交換等のメンテナンスを行う際には、この開閉カバーを開くことで用紙搬送機構や画像形成機構にアクセスできるようになっている（特許文献１）。
【０００３】
上記の開閉カバーには、該開閉カバーが不用意に開いてしまうことを防止するロック機構が設けられているものがある。このロック機構は、開閉カバーの内面に回動自在に取り付けた係合フックと、本体カバー側のジャムアクセス用開口部の内周端部の裏面側に設けた被係合部とを備え、開閉カバーを閉じた状態で、本体カバー側に突出した係合フックの先端が被係合部に係合し、開閉カバーが開かないようにロックされるようになっている。一方、開閉カバーを開く際には、ロック解除レバーを介して係合フックを回動させて上記の係合を解除し、その状態で開閉カバーを開くことができる。
【特許文献１】特開２００６−３９１７０号公報
【発明の開示】
【発明が解決しようとする課題】
【０００４】
上記のロック機構では、係合フックが開閉カバーの内面に形成した軸状突起に回動自在に嵌め込まれて取り付けられている。しかしながら、係合フックがスムーズに回動できるように、軸状突起の周囲に若干の余裕を持たせて嵌め込まれているため、係合フックが回動軸の軸方向に対して傾く方向にガタついてしまうという問題があった。すると、係合フックが本体カバーの被係合部と係合している時にもガタつくことで、係合フックによって開かないようにロックされている開閉カバーもガタついてしまうという問題があった。
【０００５】
本発明は上述の点に鑑みてなされたものでありその目的は、開閉カバーに取り付けた係合フックのガタ付きを防止でき、係合フックで開かないようにロックされている開閉カバーのガタ付きも防止できる画像形成装置の開閉カバーのロック機構を提供することにある。
【課題を解決するための手段】
【０００６】
上記課題を解決するため本願の請求項１に記載の発明は、画像形成装置のカバー部材に開閉自在に取り付けた開閉カバーと、前記開閉カバーに回動自在に取り付けた係合フックと、前記係合フックが係合する前記カバー部材側に設けた被係合部とを備え、前記開閉カバーを閉じた状態で前記係合フックが前記被係合部に係合して前記開閉カバーをロックする画像形成装置の開閉カバーのロック機構において、前記係合フックの回動面の上側又は下側の面を押える押え部材を備えたことを特徴とする。
【０００７】
本願の請求項２に記載の発明は、請求項１に記載の画像形成装置の開閉カバーのロック機構において、前記係合フックを回動させる回動部材を備えると共に、前記押え部材を前記回動部材と一体に形成したことを特徴とする。
【０００８】
本願の請求項３に記載の発明は、請求項２に記載の画像形成装置の開閉カバーのロック機構において、前記係合フックを前記被係合部に係合する位置へ付勢する付勢手段を備え、前記係合フックが前記付勢手段により回動することで、前記回動部材が押し戻されて前記押え部材が前記係合フックを押えるように構成したことを特徴とする。
【０００９】
本願の請求項４に記載の発明は、請求項１乃至３のいずれか１項に記載の画像形成装置の開閉カバーのロック機構において、前記押え部材が前記係合フックを押えることで前記係合フックが前記カバー部材の被係合部に押え付けられるように構成したことを特徴とする。
【００１０】
本願の請求項５に記載の発明は、請求項１乃至４のいずれか１項に記載の画像形成装置の開閉カバーのロック機構において、前記開閉カバーは、前記カバー部材に設けたジャムアクセス用開口部を開閉するジャムアクセスカバーであることを特徴とする。
【発明の効果】
【００１１】
本願の請求項１に記載の発明によれば、係合フックの回動面の上側又は下側の面を押える押え部材を備えたので、係合フックがその回動軸の軸方向に対して傾く方向（回動面が傾く方向）にガタつくことを防止することができる。これにより、係合フックと本体カバーの被係合部との係合で開かないようにロックされている開閉カバーのガタつきも防止することができる。なお、ここでいう係合フックの回動面とは、回動自在に取り付けられている係合フックが回動する平面を示す。
【００１２】
本願の請求項２に記載の発明によれば、押え部材を、係合フックを回動させる回動部材と一体に形成したので、係合フックのガタつきを防止できる押え部材を備えたロック機構を、少ない部品点数で簡単に構成することができる。
【００１３】
本願の請求項３に記載の発明によれば、係合フックが付勢手段により回動することで、回動部材が押し戻されて押え部材が係合フックを押えるように構成したので、係合フックが付勢手段により回動して開閉カバーをロックしている状態で、係合フックが押え部材によって押えられるので、ロック時の係合フックのガタつきを防止することができ、閉じた状態の開閉カバーのガタつきを効果的に防止することができる。
【００１４】
本願の請求項４に記載の発明によれば、押え部材が係合フックを押えることで係合フックが本体カバーの被係合部に押え付けられるので、係合フックと本体カバーの被係合部との係合によって開かないようにロックされている開閉カバーのガタつきをより効果的に防止することができる。
【００１５】
本願の請求項５に記載の発明によれば、画像形成装置のカバー部材に形成されたジャムアクセス用開口部を開閉するジャムアクセスカバー及び該ジャムアクセスカバーに取り付けた係合フックのガタつきを効果的に防止できるロック機構を提供できる。
【発明を実施するための最良の形態】
【００１６】
以下、本発明の実施形態を図面に基づいて詳細に説明する。図１は、本発明の一実施形態にかかる開閉カバーのロック機構を備えた画像形成装置の概略正面図である。なお本発明の画像形成装置としては、複写機、プリンタ、ファクシミリ又はこれらのうちの複数の機能を兼ね備えたいわゆる複合機のいずれであってもよい。同図に示す画像形成装置１は、記録用紙を搬送する用紙搬送機構や、記録用紙に画像を形成する感光体ドラムや転写ローラなどからなる画像形成機構（いずれも図示せず）を内部に設置した本体部２を備え、本体部２の下段側に、記録用紙を収納する給紙カセット３を設置し、本体部２の上段側に、原稿トレイ５上に載置された原稿を本体部２の上面に設けたプラテンガラス（図示せず）上へ送る原稿自動送り装置（ＡＤＦ装置）４を設置している。本体部２は、合成樹脂製のカバー部材である本体カバー６で覆われていて、本体カバー６の一方の側面部６ａには、本体部２内の用紙搬送機構や画像形成機構にアクセスするためのジャムアクセス用開口部７（下記の図３参照）が設けられている。そしてこのジャムアクセス用開口部７には、略平板状の開閉カバー１０がその下端部近傍を支点として開閉自在に取り付けられている。
【００１７】
図２は、画像形成装置１の本体カバー６の側面部６ａを示す斜視図である。また、図３は開閉カバー１０を開いた状態を示す図で、図４は開閉カバー１０の概略側面図（一部断面図）である。これらの図に示すように、開閉カバー１０は合成樹脂製の成型品で、横長の略長方形の平板形状に形成されている。また開閉カバー１０は、その上下方向の途中位置で上部側と下部側とに二分割されていて、下部側がジャムアクセスカバー部２０になっていて、上部側が手差トレイ部３０になっている。
【００１８】
図５は、開閉カバー１０のジャムアクセスカバー部２０をその内面側から見た図である。ジャムアクセスカバー部２０はその両側面の下端部近傍に、両外側に突出する一対の円柱状の軸部２１を備え、該軸部２１が本体カバー６のジャムアクセス用開口部７の内周側面に設けた図示しない円形の開口からなる挿入部に挿入されて回動自在に取り付けられ、これら軸部２１と挿入部とで第１回動支点１５が構成されている。またこのジャムアクセスカバー部２０は、図５に示すようにその上端面の両側部に上方に突出する一対の突出部２２を備えており、両突出部２２の間が略コ字状に切り欠かれた形状に形成されている。
【００１９】
一方、手差トレイ部３０は、図４に示すようにその下端部の両側面に両外側に突出する一対の円柱状の軸部３１を備え、該軸部３１がジャムアクセスカバー部２０の一対の突出部２２の内側面に設けた円形の開口からなる挿入部２２ａ（図５参照）に挿入されて回動自在に取り付けられ、これら軸部３１と挿入部２２ａとで第２回動支点１６が構成されている。手差トレイ部３０はこの第２回動支点１６を支点として、ジャムアクセスカバー部２０と略同一平面内に位置する閉位置と、ジャムアクセスカバー部２０に対して所定角度傾斜して位置する開位置との間で回動自在となるように取り付けられている。またこの手差トレイ部３０は、図４に示すようにその両側面（軸部３１を備える側面）に設けた突起部３４と、ジャムアクセスカバー部２０の両突出部２２の内側に設けた段部状の係止部２４とからなるスナップフィット機構４０を備えている。このスナップフィット機構４０により、下記の動作説明において詳細に述べるように、手差トレイ部３０が上記の閉位置で係止されるようになっていて、開閉カバー１０は、第１回動支点１５を支点としてジャムアクセスカバー部２０と手差トレイ部３０とが一体に回動してジャムアクセス用開口部７の全体を開閉することができると共に、第２回動支点１６を支点として手差トレイ部３０のみが回動してジャムアクセス用開口部７の上側の一部だけを開閉することもできるように構成されている。
【００２０】
そして図５に示すように、ジャムアクセスカバー部２０の内面２５側には、開閉カバー１０を閉じた位置でロックするロック機構が設けられている。このロック機構は、ジャムアクセスカバー部２０の内面２５の両側近傍に取り付けた一対の係合フック５０と、該一対の係合フック５０を回動させる一対の回動部材６０と、回動部材６０を固着した回転軸６５と、回転軸６５を回転操作するロック解除レバー７０と、図３に示す本体カバー６のジャムアクセス用開口部７の内周端部の裏面側に形成した係合フック５０を係合させる被係合部８とを備えて構成されている。
【００２１】
図６は、このロック機構の係合フック５０や回動部材６０の詳細構成を示す部分拡大図で、ジャムアクセスカバー部２０の内面２５から係合フック５０を取り外した状態を示す分解斜視図である。なお以下の説明では、係合フック５０が回動する面を係合フック５０の回動面という。同図に示すように係合フック５０は、直線棒状に形成された本体部５１を備え、該本体部５１の中心部に円形の貫通穴からなる挿通部５２が設けられ、本体部５１の一端から本体部５１に対して回動面内で略直角方向に屈曲して延びる第１の腕部５３が形成され、該第１の腕部５３の先端に、被係合部８に係合する係合部５４が形成されている。係合部５４は、その先端に向かうにつれて次第に厚み寸法が薄くなるように回動面の上側の面（ジャムアクセスカバー部２０側とは反対側の面）が傾斜面５４ａになっている。一方、本体部５１の他端には、回動面内で本体部５１から略直角に屈曲して第１の腕部５３と反対向きに延びる第２の腕部５５が形成され、該第２の腕部５５の先端には、貫通穴からなるコイルスプリング取付部５６が形成されている。
【００２２】
また回転軸６５は、図５に示すようにジャムアクセスカバー部２０の内面２５に横方向に渡されて回転自在に取り付けられ、その一端部に固着したロック解除レバー７０が、図２及び図４に示すようにジャムアクセスカバー部２０に設けた開口部２６を介してジャムアクセスカバー部２０の外面側に露出している。また回転軸６５に固着されている回動部材６０は、係合フック５０の第２の腕部５５の側面５５ａ（回動面に対する側面）を押圧して係合フック５０を回動させるもので、回転軸６５の軸方向に対して直交する方向に向かって延びる略棒状の本体部６１と、該本体部６１の側面６１ａから回転軸６５の軸方向と本体部６１の伸びる方向との両方向に対して略直交する方向に向かって突出する小突起状の押え部（押え部材）６２とを一体に形成している。
【００２３】
そして係合フック５０は、ジャムアクセスカバー部２０の内面２５に一体形成されて該内面２５から垂直方向に突出する円柱軸形状の回動軸部２７に、挿通部５２が嵌め込まれて取り付けられている。挿通部５２の内径寸法は、回動軸部２７の外径寸法よりも僅かに大きな寸法に形成されていて、嵌め込まれている係合フック５０が自在に回動できるように構成されている。なお回動軸部２７には、取り付けた係合フック５０が外れることを防止する止めネジ２８が取り付けられている。
【００２４】
図７はこのロック機構を組み立てた状態を示す部分拡大図である。同図に示すように、係合フック５０の第２の腕部５５の側面５５ａが回動部材６０の本体部６１の押え部６２よりも先端側の側面６１ａに当接した状態で、係合フック５０のコイルスプリング取付部５６にコイルスプリング７５の一端が掛けられ、図５に示すように該コイルスプリング７５の他端がジャムアクセスカバー部２０の内面２５に設けたコイルスプリング取付部２９に掛けられている。これにより係合フック５０はコイルスプリング７５によって図７の矢印Ｂ方向（時計回り方向）に回動するように付勢されているので、係合フック５０が同方向に一杯まで回動して、係合部５４が本体カバー６の被係合部８に係合する際の位置に配置される。また、係合フック５０がコイルスプリング７５で付勢されることで、回動部材６０が係合フック５０で押し戻されて同図の矢印Ａ方向に回動した状態になっている。これにより、押え部６２の側面６２ａが第２の腕部５５の下面（回動面の下側の面）５５ｂに当接してこれを押し上げる方向に押えている。このように、回動部材６０に一体に形成した押え部６２が係合フック５０の回動面の下側の面５５ａを押えることで、係合フック５０が回動軸部２７の軸方向に対して傾く方向にガタつくことを防止することができる。
【００２５】
ここで、上記構成のロック機構のロック解除動作及び開閉カバー１０の開閉動作について説明する。図８は、それらの動作を説明するための図である。開閉カバー１０を閉じている状態では、係合フック５０の係合部５４が本体カバー６の被係合部８（図３参照）に係合して開閉カバー１０がロックされているので、そのままでは開閉カバー１０（ジャムアクセスカバー部２０）を開くことができない。そして図８（ａ）に示すように、ロック解除レバー７０を上方に引き上げると、同図及び図７に示すように、矢印Ｃ方向に回動する回転軸６５と一体に回動部材６０が同方向に回動する。これにより回動部材６０の本体部６１の側面６１ａで係合フック５０の第２の腕部５５の側面５５ａが押されるので、係合フック５０がコイルスプリング７５の付勢力に抗して回動面内で図７の矢印Ｄ方向（反時計回り方向）に回動して、係合部５４が被係合部８との係合位置からずれ、それらの係合が解除される。そしてロック解除レバー７０を引き上げた状態のまま、開閉カバー１０の上端部に設けた把持部３５を引いて開閉カバー１０を手前側に倒せば、図８（ｂ）に示すように、スナップフィット機構４０で係合しているジャムアクセスカバー部２０と手差トレイ部３０が第１回動支点１５を支点として手前側に一体に回動し、開閉カバー１０が開く。なお開閉カバー１０が開いたら、ロック解除レバー７０を引き上げている力を解除すれば、コイルスプリング７５の付勢力で係合フック５０が図７の矢印Ｂ方向に回動して元の位置に戻る。
【００２６】
上記手順で開閉カバー１０を開くと、図３に示すようにジャムアクセス用開口部７の全体が開放されるので、その状態で用紙搬送機構の紙詰まりなどの不具合を解消するメンテナンスを行なうことができる。一方、開閉カバー１０が開いている状態から把持部３５を持ち上げて開閉カバー１０を閉じると、その際に係合フック５０の係合部５４の傾斜面５４ａがジャムアクセス用開口部７の外周端部９に当接し、傾斜面５４ａが外周端部９で押されることで、係合フック５０がコイルスプリング７５の付勢力に抗して図７の矢印Ｄ方向（反時計回り方向）に回動する。これにより係合部５４が外周端部９を乗り越えて被係合部８に係合するので、開閉カバー１０が閉じると同時にロック機構が自動的にロックされた状態になる。
【００２７】
また一方で、図８（ａ）に示す状態から、ロック解除レバー７０を引き上げずにロック機構がロックされた状態のまま把持部３５を引いて開閉カバー１０を手前側に倒そうとしても、ジャムアクセスカバー部２０はロックされていて開かない。したがって把持部３５を手前側に引く力によって、手差トレイ部３０の小突起部３４がジャムアクセスカバー部２０の被係合部２４を乗り越えてスナップフィット機構４０の係止が解除されるので、図８（ｃ）に示すように、手差トレイ部３０のみが手前側に倒れて開く。その状態で手差トレイ部３０の内面３７に設置した折畳みトレイ３６（図３参照）を引き出して展開すれば、手差トレイ部３０の内面３７と折畳みトレイ３６の面とがジャムアクセス用開口部７の上段側に設けた用紙搬送路への入口部７ａ（図３参照）に連通する状態になるので、手差トレイ部３０上に載置した記録用紙を本体部２内の用紙搬送機構へ供給することができる。一方、手差トレイ部３０が開いている状態から把持部３５を持ち上げて手差トレイ部３０を閉じると、小突起部３４が上記とは逆方向に被係合部２４を乗り越えてスナップフィット機構４０が係止状態になり、図８（ａ）に示す状態に戻る。
【００２８】
上記のロック機構では、係合フック５０の挿通部５２が回動軸部２７に回動自在に嵌め込まれて取り付けられているが、係合フック５０がスムーズに回動するためには、挿通部５２が、回動軸部２７に対して僅かではあるが遊びを持った状態で嵌め込まれていなければならない。そのため上記の押え部６２（押え部材）を設けていない場合は、係合フック５０が回動軸部２７の軸方向に対して傾く方向（回動面が傾く方向）にガタつきが生じてしまう。これに対して本発明のロック機構では、押え部６２で係合フック５０の回動面の下側の面を押えているので、係合フック５０の挿通部５２と回動軸部２７の間に多少の遊びを持たせていても、係合フック５０が回動軸部２７の軸方向に対して傾く方向にガタつくことを防止できるので、係合フック５０のスムーズな回動を実現しながら、係合フック５０のガタつきを防止できる。
【００２９】
また、押え部６２を回動部材６０と一体に形成したことで、係合フック５０のガタつきを防止する押え部６２を備えたロック機構の部品点数を少なくでき、その構成を簡単にすることができる。また、係合フック５０が付勢手段であるコイルスプリング７５の付勢力で開閉カバー１０をロックする位置に向かって回動する際に、回動部材６０が押し戻されてその押え部６２が係合フック５０の下面５５ｂを押えるように構成したので、開閉カバー１０のロック時の係合フック５０のガタつきを防止でき、閉じた状態の開閉カバー１０のガタつきを効果的に防止することができる。
【００３０】
また、押え部６２は、係合フック５０の係合部５４が被係合部８に係合して開閉カバー１０がロックされている際に、回動軸部２７に対して係合部５４と反対側に位置する第２の腕部５５の下面５５ｂを押し上げる方向に押えるので、係合部５４が被係合部８の方へ押し下げられるように付勢され、係合部５４が被係合部８に押え付けられる。したがって、ロックされている開閉カバー１０のガタつきをより確実に防止することが可能となる。
【００３１】
特に、上記のようなジャムアクセスカバー部２０に手差トレイ部３０を回動自在に取り付けた構成の開閉カバー１０では、ロック機構がロックされている状態で手差トレイ部３０のみを開閉する際に、手差トレイ部３０の小突起部３４がジャムアクセスカバー部２０の被係合部２４を乗り越えるので、ジャムアクセスカバー部２０にも開閉方向に回動する力が掛かってしまう。そのため、係合フック５０にガタつきがあると、手差トレイ部３０を開閉する毎にジャムアクセスカバー部２０がガタついてしまい、手差トレイ部３０の開閉操作性が悪くなるおそれがあった。しかしながら本発明のロック機構を備えていれば、ジャムアクセスカバー部２０を閉じている状態で押え部６２によって係合フック５０が押えられているので、手差トレイ部３０のみを開閉する際のジャムアクセスカバー部２０のガタつきを効果的に防止できる。したがって手差トレイ部３０の開閉操作性が良好になる。
【００３２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば、上記実施形態では、ジャムアクセスカバー部２０に手差トレイ部３０を回動自在に取り付けた構成の開閉カバー１０を説明したが、本発明の開閉カバーとしてはこれ以外にも、手差トレイ部３０を設けずにジャムアクセスカバー部２０のみを備えた構成であってもよい。また、本発明のロック機構を適用する開閉カバーは、ジャムアクセス用開口部７を開閉する開閉カバー１０には限定されず、画像形成装置の本体カバー等のカバー部材に開閉自在に取り付けた開閉カバーであれば、他の用途の開口部等を開閉する開閉カバーであってもよい。
【００３３】
また、本発明のロック機構を構成する係合フックは、開閉カバーに回動自在に取り付けられたものであれば、突起状の回動軸部に嵌め込まれたものには限定されず、他の構成で回動自在に取り付けられたものでもよい。一例として上記実施形態とは逆に、係合フックに円柱軸状の回動軸部を一体に形成し、開閉カバーの内面にこの回動軸部を嵌め込んで取り付ける円形の開口からなる挿入部を形成してもよい。
【００３４】
また、係合フック５０や回動部材６０や押え部材（押え部）６２の具体的な形状は上記実施形態に示すものには限定されず、本発明のロック機構の作用を奏することができる形状であれば、これらを適宜他の形状とすることも可能である。例えば押え部６２は、回動部材６０とは別の部材として設けてもよい。また上記の実施形態では、押え部６２が係合フック５０の回動面の下側の面を押える場合を説明したが、押え部６２が係合フック５０の回動面の上側の面を押えるように構成してもよい。また係合フック５０を付勢する付勢手段は、コイルスプリング７５には限定されず、板バネなど他の付勢手段で付勢することも可能である。
【図面の簡単な説明】
【００３５】
【図１】画像形成装置の外観構成例を示す概略正面図である。
【図２】画像形成装置の本体カバーの側面部を示す斜視図で、該側面部に設けたジャムアクセス用開口部に取り付けた開閉カバーを示す図である。
【図３】開閉カバーを開いた状態を示す図である。
【図４】開閉カバーの概略側面図（一部断面図）である。
【図５】開閉カバーのジャムアクセスカバー部を内面側から見た図である。
【図６】ロック機構の詳細構成を示す部分拡大図で、ロック機構の一部を分解した状態を示す分解斜視図である。
【図７】ロック機構を組み立てた状態を示す部分拡大図である。
【図８】開閉カバーの開閉動作を説明するための図である。
【符号の説明】
【００３６】
１      画像形成装置
２      本体部
３      給紙カセット
４      原稿自動送り装置（ＡＤＦ装置）
５      原稿トレイ
６      本体カバー
６ａ    側面部
７      ジャムアクセス用開口部
８      被係合部
９      外周端部
１０    開閉カバー
１５    第１回動支点
１６    第２回動支点
２０    ジャムアクセスカバー部
２７    回動軸部
３０    手差トレイ部
３５    把持部
４０    スナップフィット機構
５０    係合フック
５１    本体部
５２    挿通部
５３    第１の腕部
５４    係合部
５４ａ  傾斜面
５５ａ  側面
５５ｂ  下面（回動面の下側の面）
５５    第２の腕部
５６    コイルスプリング取付部
６０    回動部材
６１    本体部
６１ａ  側面
６２    押え部（押え部材）
６２ａ  側面
６５    回転軸
７０    ロック解除レバー
７５    コイルスプリング（付勢手段）
【図１】
2008003403.tif 000003
【図２】
2008003403.tif 000004
【図３】
2008003403.tif 000005
【図４】
2008003403.tif 000006
【図５】
2008003403.tif 000007
【図６】
2008003403.tif 000008
【図７】
2008003403.tif 000009
【図８】
2008003403.tif 000010